(57)【要約】【課題】  ミネラルに富んで雑菌の抑制力が高い水に改質できる水改質装置を提供する。【解決手段】  陶磁器製貯水槽１の内面と同貯水槽内に配置される陶磁器製小容器５の内外面と貯水槽１の内部上方に脱着自在に係止される陶磁器製の筒状濾過浄化器６の内外面に、銀粉を混練した釉薬を塗布して焼成して銀層２，５ａ，６ｅを形成し、貯水槽１の内部下部に小容器５を配置し、筒状濾過浄化器６を上方に係止し、水はこの濾過浄化器６の上方の投水口６ｂから投入される。小容器５内及びその外側の貯水槽１内に天寿石の石片Ｔ，貴宝石の石片Ｋ，ガイアストーンの石片Ｇ，麦飯石の石片Ｂ，トルマリン原石の石片ＴＴ，ボール状トルマリンＴＺを多数配置する。又濾過浄化器６内にこれらの天然石片を充填したガイアストーン層６ｆ，貴宝石層６ｇ，トルマリン層６ｈ，麦飯石層６ｉを形成し、貯水槽１の下方に給水バルブ４を設ける。【選択図】図１
0003126287.tif 000002
【実用新案登録請求の範囲】
【請求項１】
槽内面に銀層を形成した貯水槽内に天寿石・麦飯石・貴宝石又はガイアストーン石から選ばれた一種又は複数種の天然石の粒塊状の石片を多数配置し、水を銀層と天然石片に接触させて水を改質することを特徴とする水改質装置。
【請求項２】
粒塊状のトルマリンを天然石片と一緒に混在させて配置した、請求項１記載の水改質装置。
【請求項３】
貯水槽への水の給水路に麦飯石・貴宝石・ガイアストーン石・トルマリンの一つ又は複数種の粒塊片を充填した濾過浄化器を設けた、請求項１又は２記載の水改質装置。
【請求項４】
貯水槽内の天然石片を、通水孔のある小容器に収容して貯水槽に配置し、しかも小容器の容器壁面に銀層を形成させたものとした請求項１〜３いずれか記載の水改質装置。
【考案の詳細な説明】
【技術分野】
【０００１】
本考案は、貯水槽と小容器の銀層から発生する銀イオンの作用により雑菌の増殖を抑え、天寿石・貴宝石・ガイアストーン石・麦飯石等の天然の岩石・鉱石の石片又は天然鉱石粉を配合した特殊セラミックスを用いて、これらの石の成分によって水を活性化・浄化・ミネラル化して飲用に適した水又は肌に優しい浴水を作り出すための装置である。
【背景技術】
【０００２】
現在、わが国は世界に類を見ない高いレベルでの安全な水が供給されている、と言われている。しかしながら、安全な水を作る為に殺菌・消毒に使用されている次亜塩素酸ソーダ等の薬剤が、身体に対して有害だともされ、「体に良い水」「おいしい水」だとは、言われていないのも現状である。
近年、「浄水器」と言われるものが数多く世に出され、その「浄水器」と言われるものの多くは、水道の蛇口等に取り付け、その流水を使用し「各種フィルター」又は「活性炭」等の濾過材に水を通過させる事により、不純物・残留塩素等を除去もしくは減少させることを目的としたものや、水に「ミネラル成分」等を含有させようとして、天然鉱石等（例えば麦飯石・トルマリンと言ったもの）及び特殊セラミックス等を利用して、水にその効果を持たせようとした商品もあったが、「天然鉱石」や「特殊セラミックス」の中に水を短時間通過させただけでは、「各種フィルター」等で不純物等の除去・減少は出来ても、水に「ミネラル成分」等を含有させることは非常に困難であったと言われている。
【０００３】
飲料水を、ボール状麦飯石によって浄化処理する技術が、特開２００１−８７７７６号公報で知られている。しかしながら、麦飯石には水の浄化能力は認められるが、麦飯石だけでは浄化力が不足し、又病原性の細菌の抑制・ミネラルの溶出には不充分であった。
【特許文献１】特開２００１−８７７７６号公報
【考案の開示】
【考案が解決しようとする課題】
【０００４】
本発明は、従来の問題点を解消し、ミネラルに富んで雑菌の抑制力が高い水に改質できる装置を提供することにある。
【課題を解決するための手段】
【０００５】
かかる課題を解決した本考案の構成は、
１）  槽内面に銀層を形成した貯水槽内に天寿石・麦飯石・貴宝石又はガイアストーン石から選ばれた一種又は複数種の天然石の粒塊状の石片を多数配置し、水を銀層と天然石片に接触させて水を改質することを特徴とする水改質装置
２）  粒塊状のトルマリンを天然石片と一緒に混在させて配置した、前記１）記載の水改質装置
３）  貯水槽への水の給水路に麦飯石・貴宝石・ガイアストーン石・トルマリンの一つ又は複数種の粒塊片を充填した濾過浄化器を設けた、前記１）又は２）記載の水改質装置
４）  貯水槽内の天然石片を、通水孔のある小容器に収容して貯水槽に配置し、しかも小容器の容器壁面に銀層を形成させたものとした前記１）〜３）いずれか記載の水改質装置
にある。
【考案の効果】
【０００６】
本考案によれば、貯水槽内面又は小容器壁面の銀層から発生する銀イオンにより雑菌の増殖を抑制し、本考案では天寿石・貴宝石・ガイアストーン石・麦飯石等の天然の岩石・鉱石の天然石片を用いて、これらの石の成分によって水を活性化・浄化・ミネラル化し、又遠赤外線の効果が生起し、更に水の分子を細かくクラスター化し、改質してよりおいしい水とする。
又、トルマリンを混入させたものは、トルマリンの持つ強いイオン作用により、更に水の改質をする。
【考案を実施するための最良の形態】
【０００７】
本考案において、貯水槽内での水の貯水時間は１２時間以上がよい。又、貯水槽は一槽でも複数槽でもよい。
濾過浄化器は、上方に投水口、下方に排水口を有する構造とし、貯水槽の上方に吊すようにして脱着自在に取り付けるのがよい。
貯水槽内面及び小容器・濾過浄化器の銀層は陶磁器製の貯水槽・小容器の表面に銀粉を入れた釉薬を塗布して銀層を形成するのが好ましい。
本考案の天然石片・トルマリンの粒塊状の大きさは、２〜５ｃｍ程が一般的である。
【実施例１】
【０００８】
以下、本考案の実施例を図面に基づいて説明する。図１，２に示す本実施例の貯水槽１は筒状の陶磁器製である。又その槽内面は銀粉を混練した釉薬を塗布して焼成されて銀層２を形成している。又貯水槽１の内部の下方に置かれた小容器５及び貯水槽１内部の上方に吊り下げられている筒状濾過浄化器６ともに陶磁器製であり、その器の内面に銀粉を混入した釉薬を塗布して焼成されたものであって、表面に銀層５ａ，６ｅが形成されている。小容器５は上方が開口し、側面には通水孔５ｂがあり、貯水槽１の上方の内面の環状鍔部１ｂに濾過浄化器６の円盤部６ａを係止して脱着自在にしている。天寿石・貴宝石・ガイアストーン・麦飯石に加え、ボール状トルマリン・トルマリン石を、約５００ｇ，１０００ｇ，１０００ｇ，５００ｇ，５００ｇ，５００ｇ（上記順番の通りの配合重量で）２〜５ｃｍ程の粒塊状にして、貯水槽１内の小容器５に混在状態に入れて配置させている。更に濾過浄化器６内にも、ガイアストーン５００ｇ・貴宝石５００ｇ・トルマリン原石５００ｇ・麦飯石５００ｇの粒塊状石片が順に積層されていて、上方に投水口６ｂ、下方に排水口６ｃがある。
【０００９】
図１は、実施例の一部切欠斜視図である。
図２は、実施例の使用状態を示す一部切欠斜視図である。
図３は、小容器を示す斜視図である。
図４は、貯水槽・小容器・濾過浄化器の銀層を示す断面説明図である。
【００１０】
図中、１は貯水槽、１ａは同貯水槽の上方開口、１ｂは内部上方に形成された環状鍔部、Ｔは天寿石の石片、Ｋは貴宝石の石片、Ｇはガイアストーンの石片、Ｂは麦飯石の石片、ＴＺはトルマリン粉を用いてボール状にセラミックスとしたボール状トルマリン、ＴＴはトルマリン原石の石片、２は貯水槽１の内面に形成された銀層、３は貯水槽１の蓋、４は給水バルブ、５は内外の表面に形成された銀層５ａを有する小容器、５ｂは小容器５の側面に開口された通水孔、５ｃは把手、６は筒状の陶磁器製の濾過浄化器、６ａは同濾過浄化器の上方の円盤部、６ｂは同円盤部６ａの中央に設けられた投水口、６ｃは濾過浄化器の底面に設けた排水口、６ｄは同排水口に取り付けた石片脱落防止の金網、６ｅは濾過浄化器６の内外の表面に形成された銀層、６ｆはガイアストーンの石片Ｇを充填したガイアストーン層、６ｇは貴宝石の石片Ｋを充填した貴宝石層、６ｈはトルマリン原石の石片ＴＴを充填したトルマリン層、６ｉは麦飯石の石片Ｂを充填した麦飯石層である。
【００１１】
この実施例では、水は貯水槽１の上方開口１ａから濾過浄化器６の投水口に向けて投入される。水は同濾過浄化器６のガイアストーン層６ｆ、貴宝石層６ｇ、トルマリン層６ｈ、麦飯石層６ｉを通過し、又濾過浄化器６の内面の銀層６ｅと接触することによって、銀層６ｅの銀イオン効果、及び各天然鉱石、トルマリンによるミネラル溶出、遠赤外線効果によって水が改質するとともに雑菌が抑制され、又水中のゴミ、有機材の濾過を行っている。
【００１２】
このように、濾過浄化器６で浄化・活性化・改質した水は排水口６ｃから貯水槽１に入る。貯水槽１内の水は、貯水槽１の内面の銀層２及び小容器５の内外の銀層５ａ、濾過浄化器６の内面銀層６ｅと接触して銀イオン効果で水の改質と、雑菌の増殖の抑制と殺菌を行う。又小容器５内の天寿石の石片Ｔ，貴宝石の石片Ｋ，ガイアストーンの石片Ｇ，麦飯石の石片Ｂ，トルマリン原石の石片ＴＴと接触して前記同様に、水の改質・活性化され、銀イオン効果によって、水の改質がなされる。約１２時間程貯水されると、良質の優れたまろやかな飲料水となり、又良質の化粧水、浴水となる。
この改質した水は貯水槽１の下部に取り付けられた給水バルブ４から給水される。
【００１３】
以上の様に、本実施例では、濾過浄化器６，前段貯水槽１内，小容器５の三段階で天然石片と接触させるので、天然石の効果を最大限に引き出すことができる。又貯水槽１，小容器５、濾過浄化器６の銀層によって、効果を高め、まろやかで、細菌が減菌された優れた飲料水としている。
【産業上の利用可能性】
【００１４】
本考案は、飲料水ポット・急須として使用してもよいし、台所での飲用水容器として、業務用飲用水タンクとして、あるいは湯飲みの中に天然石片を置いて使用もできる。改質水は飲料水の他に、化粧水，浴水としても使用できる。
【図面の簡単な説明】
【００１５】
【図１】実施例の一部切欠斜視図である。
【図２】実施例の使用状態を示す一部切欠斜視図である。
【図３】小容器を示す斜視図である。
【図４】貯水槽・小容器・濾過浄化器の銀層を示す断面説明図である。
【符号の説明】
【００１６】
１  貯水槽
１ａ  上方開口
１ｂ  鍔部
２  銀層
３  蓋
４  給水バルブ
５  小容器
５ａ  銀層
５ｂ  通水孔
５ｃ  把手
６  濾過浄化器
６ａ  円盤部
６ｂ  投水口
６ｃ  排水口
６ｄ  金網
６ｅ  銀層
６ｆ  ガイアストーン層
６ｇ  貴宝石層
６ｈ  トルマリン層
６ｉ  麦飯石層
Ｔ，Ｋ，Ｇ，Ｂ，ＴＴ  石片
【図１】
0003126287.tif 000003
【図２】
0003126287.tif 000004
【図３】
0003126287.tif 000005
【図４】
0003126287.tif 000006